(57)【要約】【課題】入力される映像信号に基づいて好ましい表示態様にて映像を表示することができる表示装置を提供する。【解決手段】表示装置１００は、複数の入力端子１０１ａと、複数の入力端子のそれぞれに対応する複数の表示エリア１０４ａを含む表示パネル１０４と、複数の入力端子の各々に入力される部分映像信号に基づいて対応する表示エリアに部分映像を表示するためのコントローラ１０５とを備える。コントローラ１０５は、部分映像信号のそれぞれに対応する縦の画素数の全てが同じであって、かつ横の画素数の全てが同じときに、互いに接する部分映像を１つの映像として表示パネルの中央に表示し、部分映像信号のそれぞれに対応する縦の画素数のいずれかが異なる、あるいは横の画素数のいずれかが異なるときに、部分映像の各々を独立した映像として対応する表示エリアの中央に表示する。【選択図】図７
2011064857.tif 000002
【特許請求の範囲】
【請求項１】
複数の入力端子と、
前記複数の入力端子のそれぞれに対応する複数の表示エリアを含む表示パネルと、
前記複数の入力端子の各々に入力される部分映像信号に基づいて対応する前記表示エリアに部分映像を表示するためのコントローラとを備え、
前記コントローラは、
前記部分映像信号のそれぞれに対応する縦の画素数の全てが同じであって、かつ横の画素数の全てが同じときに、互いに接する前記部分映像を１つの映像として前記表示パネルの中央に表示し、
前記部分映像信号のそれぞれに対応する縦の画素数のいずれかが異なる、あるいは横の画素数のいずれかが異なるときに、前記部分映像の各々を独立した映像として対応する前記表示エリアの中央に表示する、表示装置。
【請求項２】
前記複数の表示エリアは、左右方向に隣接する第１の表示エリアと第２の表示エリアとを含み、
前記コントローラは、前記部分映像信号のそれぞれに対応する縦の画素数のいずれかが異なる、あるいは横の画素数のいずれかが異なるときであって、前記第１の表示エリアに対応する第１の部分映像の縦の画素数と前記第２の表示エリアに対応する第２の部分映像の縦の画素数とが同じときに、互いに接する前記第１および第２の部分映像を１つの映像として前記第１および第２の表示エリアを含むエリアの中央に表示する、請求項１に記載の表示装置。
【請求項３】
前記複数の表示エリアは、上下方向に隣接する第１の表示エリアと第３の表示エリアとを含み、
前記コントローラは、前記部分映像信号のそれぞれに対応する縦の画素数のいずれかが異なる、あるいは横の画素数のいずれかが異なるときであって、前記第１の表示エリアに対応する第１の部分映像の横の画素数と前記第３の表示エリアに対応する第３の部分映像の横の画素数とが同じときに、互いに接する前記第１および第３の部分映像を１つの映像として前記第１および第３の表示エリアを含むエリアの中央に表示する、請求項１または２に記載の表示装置。
【請求項４】
前記表示装置は、第１のモードおよび第２のモードのいずれかに設定可能であって、
前記コントローラは、
前記第１のモードにおいては、
前記部分映像信号のそれぞれに対応する縦の画素数の全てが同じであって、かつ横の画素数の全てが同じときに、互いに接する前記部分映像を１つの映像として前記表示パネルの中央に表示し、
前記部分映像信号のそれぞれに対応する縦の画素数のいずれかが異なる、あるいは横の画素数のいずれかが異なるときに、前記部分映像の各々を独立した映像として対応する前記表示エリアの中央に表示し、
前記第２のモードにおいては、
前記部分映像信号に基づいて前記部分映像の各々を拡大することによって、当該拡大された部分映像の各々を対応する前記表示エリアの全面に表示する、請求項１から３のいずれかに記載の表示装置。
【請求項５】
複数の入力端子と、前記複数の入力端子に対応する複数の表示エリアを含む表示パネルと、コントローラとを備える表示装置における表示方法であって、
前記コントローラが、前記複数の入力端子のそれぞれを介して、複数の部分映像信号を取得するステップと、
前記コントローラが、前記複数の部分映像信号のそれぞれに対応する縦の画素数の全てが同じか否かを判断するステップと、
前記コントローラが、前記複数の部分映像信号のそれぞれに対応する横の画素数の全てが同じか否かを判断するステップと、
前記コントローラが、前記部分映像信号のそれぞれに対応する縦の画素数の全てが同じであって、かつ横の画素数の全てが同じときに、前記複数の部分映像信号に対応する複数の部分映像を１つの映像として前記表示パネルの中央に表示するステップと、
前記コントローラが、前記部分映像信号のそれぞれに対応する縦の画素数のいずれかが異なる、あるいは横の画素数のいずれかが異なるときに、前記複数の部分映像の各々を独立した映像として対応する前記表示エリアの中央に表示するステップとを備える、表示方法。
【請求項６】
複数の入力端子と、
前記複数の入力端子のそれぞれに対応する複数の表示パネルと、
前記複数の入力端子と前記複数の表示パネルとに接続され、前記複数の入力端子の各々に入力される部分映像信号に基づいて対応する前記表示エリアに部分映像を表示するためのコントローラとを備え、
前記コントローラは、
前記部分映像信号のそれぞれに対応する縦の画素数の全てが同じであって、かつ横の画素数の全てが同じときに、前記部分映像の各々を対応する前記表示パネルのうちの他の表示パネル側に表示し、
前記部分映像信号のそれぞれに対応する縦の画素数のいずれかが異なる、あるいは横の画素数のいずれかが異なるときに、前記部分映像の各々を独立した映像として対応する前記表示パネルの中央に表示する、表示システム。
【請求項７】
複数の入力端子と、前記複数の入力端子のそれぞれに対応する複数の表示パネルと、前記複数の入力端子と前記複数の表示パネルとに接続されるコントローラとを備える表示システムにおける表示方法であって、
前記コントローラが、前記複数の入力端子のそれぞれを介して、複数の部分映像信号を取得するステップと、
前記コントローラが、前記複数の部分映像信号のそれぞれに対応する縦の画素数の全てが同じか否かを判断するステップと、
前記コントローラが、前記複数の部分映像信号のそれぞれに対応する横の画素数の全てが同じか否かを判断するステップと、
前記コントローラが、前記部分映像信号のそれぞれに対応する縦の画素数の全てが同じであって、かつ横の画素数の全てが同じときに、前記複数の部分映像信号に対応する複数の部分映像の各々を対応する前記表示パネルのうちの他の表示パネル側に表示するステップと、
前記コントローラが、前記部分映像信号のそれぞれに対応する縦の画素数のいずれかが異なる、あるいは横の画素数のいずれかが異なるときに、前記複数の部分映像の各々を独立した映像として対応する前記表示パネルの中央に表示するステップとを備える、表示方法。
【発明の詳細な説明】
【技術分野】
【０００１】
本発明は、映像信号の入力に基づいて映像を表示するための表示装置、表示方法、および表示システムに関し、特に複数の入力端子の各々に入力される部分映像信号に基づいて対応する表示エリアに部分映像を表示するための表示装置、表示方法、および表示システムに関する。
【背景技術】
【０００２】
複数の画素を含む表示パネルを、複数の入力端子のそれぞれに対応する表示エリアに分割する技術が知られている。また、複数の表示パネルを用いて１つの映像を表示させる技術も知られている。たとえば、４個の入力端子を含む表示装置においては、４０９６×２１６０（４Ｋ２Ｋ）画素を含む表示パネルが、４個の入力端子のそれぞれに対応する２０４８×１０８０画素を含む表示エリアに分割される。
【０００３】
たとえば、特開平７−２６１７２１号公報（特許文献１）には、マルチ映像システムが開示されている。特開平７−２６１７２１号公報（特許文献１）によると、映像信号及び文字情報等を入力し、信号処理し、デジタル映像信号を出力するマスターパソコンと、該デジタル映像信号を複数分配する映像分配装置と、該分配されるデジタル映像信号を記憶し、部分拡大等の信号処理する複数のパソコンと、該複数のパソコンからの映像出力信号を表示し、表示部が隣接するように配置する複数のモニタとで構成される。入力する映像信号とマスターパソコンのキーボード等の入力手段より入力する情報、または、記憶装置に記憶する情報等を処理し、マスターパソコンにより複数のパソコンを制御して、表示位置等を変えて、複数のモニタで表示するようにしている。
【０００４】
また、特開平４−２８０２９１号公報（特許文献２）には、マルチ映像システムが開示されている。特開平４−２８０２９１号公報（特許文献２）によると、供給された映像信号に所定の処理を行う画像処理部と表示画面部とから構成され複数種類の走査周波数の映像信号に対応して映像表示が可能とされた複数個の映像表示処理手段を有し、この各映像表示処理手段の各表示画面部が隣接するように配列されてマルチモニタ画面とされるようにシステムを構成する。
【先行技術文献】
【特許文献】
【０００５】
【特許文献１】特開平７−２６１７２１号公報
【特許文献２】特開平４−２８０２９１号公報
【発明の概要】
【発明が解決しようとする課題】
【０００６】
しかしながら、複数の入力端子からの複数の映像信号に基づいて複数の表示エリア（表示パネル）に複数の映像を表示する際には、当該複数の映像のそれぞれを独立した映像として複数の表示エリア（表示パネル）に表示させる方法と、当該複数の映像を１つの映像として複数の表示エリア（表示パネル）に表示させる方法とが考えられる。いずれの表示方法が好ましいかは、当然に、入力される映像信号、すなわち表示されるべき映像によって異なる。そのため、ユーザは、表示されるべき映像を確認しながら、いずれの方法によって映像を表示するかの設定を行う必要があった。
【０００７】
本発明は、かかる問題を解決するためになされたものであり、その目的は、入力される映像信号に基づいて好ましい表示態様にて映像を表示することができる表示装置を提供することである。
【課題を解決するための手段】
【０００８】
この発明のある局面に従うと、表示装置が提供される。表示装置は、複数の入力端子と、複数の入力端子のそれぞれに対応する複数の表示エリアを含む表示パネルと、複数の入力端子の各々に入力される部分映像信号に基づいて対応する表示エリアに部分映像を表示するためのコントローラとを備える。コントローラは、部分映像信号のそれぞれに対応する縦の画素数の全てが同じであって、かつ横の画素数の全てが同じときに、互いに接する部分映像を１つの映像として表示パネルの中央に表示し、部分映像信号のそれぞれに対応する縦の画素数のいずれかが異なる、あるいは横の画素数のいずれかが異なるときに、部分映像の各々を独立した映像として対応する表示エリアの中央に表示する。
【０００９】
好ましくは、複数の表示エリアは、左右方向に隣接する第１の表示エリアと第２の表示エリアとを含む。コントローラは、部分映像信号のそれぞれに対応する縦の画素数のいずれかが異なる、あるいは横の画素数のいずれかが異なるときであって、第１の表示エリアに対応する第１の部分映像の縦の画素数と第２の表示エリアに対応する第２の部分映像の縦の画素数とが同じときに、互いに接する第１および第２の部分映像を１つの映像として第１および第２の表示エリアを含むエリアの中央に表示する。
【００１０】
好ましくは、複数の表示エリアは、上下方向に隣接する第１の表示エリアと第３の表示エリアとを含む。コントローラは、部分映像信号のそれぞれに対応する縦の画素数のいずれかが異なる、あるいは横の画素数のいずれかが異なるときであって、第１の表示エリアに対応する第１の部分映像の横の画素数と第３の表示エリアに対応する第３の部分映像の横の画素数とが同じときに、互いに接する第１および第３の部分映像を１つの映像として第１および第３の表示エリアを含むエリアの中央に表示する。
【００１１】
好ましくは、表示装置は、第１のモードおよび第２のモードのいずれかに設定可能である。コントローラは、第１のモードにおいては、部分映像信号のそれぞれに対応する縦の画素数の全てが同じであって、かつ横の画素数の全てが同じときに、互いに接する部分映像を１つの映像として表示パネルの中央に表示し、部分映像信号のそれぞれに対応する縦の画素数のいずれかが異なる、あるいは横の画素数のいずれかが異なるときに、部分映像の各々を独立した映像として対応する表示エリアの中央に表示する。コントローラは、第２のモードにおいては、部分映像信号に基づいて部分映像の各々を拡大することによって、当該拡大された部分映像の各々を対応する表示エリアの全面に表示する。
【００１２】
この発明の別の局面に従うと、複数の入力端子と、複数の入力端子に対応する複数の表示エリアを含む表示パネルと、コントローラとを備える表示装置における表示方法が提供される。表示方法は、コントローラが、複数の入力端子のそれぞれを介して、複数の部分映像信号を取得するステップと、コントローラが、複数の部分映像信号のそれぞれに対応する縦の画素数の全てが同じか否かを判断するステップと、コントローラが、複数の部分映像信号のそれぞれに対応する横の画素数の全てが同じか否かを判断するステップと、コントローラが、部分映像信号のそれぞれに対応する縦の画素数の全てが同じであって、かつ横の画素数の全てが同じときに、複数の部分映像信号に対応する複数の部分映像を１つの映像として表示パネルの中央に表示するステップと、コントローラが、部分映像信号のそれぞれに対応する縦の画素数のいずれかが異なる、あるいは横の画素数のいずれかが異なるときに、複数の部分映像の各々を独立した映像として対応する表示エリアの中央に表示するステップとを備える。
【００１３】
この発明の別の局面に従うと、表示システムが提供される。表示システムは、複数の入力端子と、複数の入力端子のそれぞれに対応する複数の表示パネルと、複数の入力端子と複数の表示パネルとに接続され、複数の入力端子の各々に入力される部分映像信号に基づいて対応する表示エリアに部分映像を表示するためのコントローラとを備える。コントローラは、部分映像信号のそれぞれに対応する縦の画素数の全てが同じであって、かつ横の画素数の全てが同じときに、部分映像の各々を対応する表示パネルのうちの他の表示パネル側に表示し、部分映像信号のそれぞれに対応する縦の画素数のいずれかが異なる、あるいは横の画素数のいずれかが異なるときに、部分映像の各々を独立した映像として対応する表示パネルの中央に表示する。
【００１４】
この発明の別の局面に従うと、複数の入力端子と、複数の入力端子のそれぞれに対応する複数の表示パネルと、複数の入力端子と複数の表示パネルとに接続されるコントローラとを備える表示システムにおける表示方法が提供される。表示方法は、コントローラが、複数の入力端子のそれぞれを介して、複数の部分映像信号を取得するステップと、コントローラが、複数の部分映像信号のそれぞれに対応する縦の画素数の全てが同じか否かを判断するステップと、コントローラが、複数の部分映像信号のそれぞれに対応する横の画素数の全てが同じか否かを判断するステップと、コントローラが、部分映像信号のそれぞれに対応する縦の画素数の全てが同じであって、かつ横の画素数の全てが同じときに、複数の部分映像信号に対応する複数の部分映像の各々を対応する表示パネルのうちの他の表示パネル側に表示するステップと、コントローラが、部分映像信号のそれぞれに対応する縦の画素数のいずれかが異なる、あるいは横の画素数のいずれかが異なるときに、複数の部分映像の各々を独立した映像として対応する表示パネルの中央に表示するステップとを備える。
【発明の効果】
【００１５】
以上のように、この発明によれば、入力される映像信号に基づいて好ましい表示態様にて映像を表示することができる表示装置が提供される。
【図面の簡単な説明】
【００１６】
【図１】本実施の形態に係る液晶テレビの外観を示す概略図である。
【図２】図１に示す表示態様の切替を行う場合と当該切替を行わない場合との違いを示すイメージ図である。
【図３】ＤｏｔＢｙＤｏｔモード中に液晶テレビに同一の画素数の映像信号が入力された場合における表示パネルを示すイメージ図である。
【図４】Ｆｕｌｌモード中に液晶テレビに同一の画素数の映像信号が入力された場合における表示パネルを示すイメージ図である。
【図５】ＤｏｔＢｙＤｏｔモード中に液晶テレビに異なる画素数の映像信号が入力された場合における表示パネルを示すイメージ図である。
【図６】Ｆｕｌｌモード中に液晶テレビに異なる画素数の映像信号が入力された場合における表示パネルを示すイメージ図である。
【図７】液晶テレビの構成を表わすブロック図である。
【図８】表示システムの構成を表わすブロック図である。
【図９】本実施の形態に係る液晶テレビにおけるモード受付処理の処理手順を示すフローチャートである。
【図１０Ａ】本実施の形態に係る液晶テレビにおける表示メイン処理の処理手順を示す第１のフローチャートである。
【図１０Ｂ】本実施の形態に係る液晶テレビにおける表示メイン処理の処理手順を示す第２のフローチャートである。
【図１０Ｃ】本実施の形態に係る液晶テレビにおける表示メイン処理の処理手順を示す第３のフローチャートである。
【図１１】本実施の形態に係る液晶テレビにおける全画面処理の処理手順を示すフローチャートである。
【図１２】全画面処理におけるＤｏｔＢｙＤｏｔ処理の処理手順を示すフローチャートである。
【図１３】全画面処理におけるＦｕｌｌ処理の処理手順を示すフローチャートである。
【図１４】本実施の形態に係る液晶テレビにおける左画面処理の処理手順を示すフローチャートである。
【図１５】左画面処理におけるＤｏｔＢｙＤｏｔ処理の処理手順を示すフローチャートである。
【図１６】左画面処理におけるＦｕｌｌ処理の処理手順を示すフローチャートである。
【図１７】本実施の形態に係る液晶テレビにおける右画面処理の処理手順を示すフローチャートである。
【図１８】右画面処理におけるＤｏｔＢｙＤｏｔ処理の処理手順を示すフローチャートである。
【図１９】右画面処理におけるＦｕｌｌ処理の処理手順を示すフローチャートである。
【図２０】本実施の形態に係る液晶テレビにおける上画面処理の処理手順を示すフローチャートである。
【図２１】上画面処理におけるＤｏｔＢｙＤｏｔ処理の処理手順を示すフローチャートである。
【図２２】上画面処理におけるＦｕｌｌ処理の処理手順を示すフローチャートである。
【図２３】本実施の形態に係る液晶テレビにおける下画面処理の処理手順を示すフローチャートである。
【図２４】下画面処理におけるＤｏｔＢｙＤｏｔ処理の処理手順を示すフローチャートである。
【図２５】下画面処理におけるＦｕｌｌ処理の処理手順を示すフローチャートである。
【図２６】本実施の形態に係る液晶テレビにおける部分画面処理の処理手順を示すフローチャートである。
【図２７】部分画面処理におけるＤｏｔＢｙＤｏｔ処理の処理手順を示すフローチャートである。
【図２８】部分画面処理におけるＦｕｌｌ処理の処理手順を示すフローチャートである。
【発明を実施するための形態】
【００１７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１８】
＜液晶テレビ１００の動作概要＞
まず、表示装置の一例である液晶テレビ１００の全体構成について説明する。ただし、表示装置は、本実施の形態に係る液晶テレビ１００だけでなく、プラズマテレビなどであってもよい。そして、本発明は、本実施の形態に係る液晶テレビ１００のような画面（表示パネル）が複数のエリアに分割された１つの装置だけでなく、図８に示すような複数の表示パネルを含む表示システムにも適用できるものである。
【００１９】
図１は、本実施の形態に係る液晶テレビ１００の外観を示す概略図である。より詳細には、図１（Ａ）は液晶テレビ１００が４つの表示エリア１０４ａ〜１０４ｄに１つの映像を表示する状態を示すイメージ図であり、図１（Ｂ）は液晶テレビ１００が４つの表示エリア１０４ａ〜１０４ｄのそれぞれに独立した４つの映像を表示する状態を示すイメージ図である。
【００２０】
図１（Ａ）および図１（Ｂ）を参照して、本実施の形態に係る液晶テレビ１００には、第１の映像端子１０１ａ〜第４の映像端子１０１ｄを介して４つの映像信号が入力される。液晶テレビ１００は、第１の映像端子１０１ａからの映像信号に基づいて、第１の表示エリア（左上表示エリア）１０４ａに第１の部分映像を表示する。液晶テレビ１００は、第２の映像端子１０１ｂからの映像信号に基づいて、第２の表示エリア（右上表示エリア）１０４ｂに第２の部分映像を表示する。液晶テレビ１００は、第３の映像端子１０１ｃからの映像信号に基づいて、第３の表示エリア（左下表示エリア）１０４ｃに第３の部分映像を表示する。液晶テレビ１００は、第４の映像端子１０１ｄからの映像信号に基づいて、第４の表示エリア（右下表示エリア）１０４ｄに第４の部分映像を表示する。
【００２１】
図１（Ａ）を参照して、第１の映像端子１０１ａ〜第４の映像端子１０１ｄのそれぞれに１つの映像（世界地図）の一部を表示するための第１の映像信号〜第４の映像信号が入力された場合には、液晶テレビ１００は、第１の表示エリア１０４ａ〜第４の表示エリア１０４ｄを用いて１つの映像を表示する。すなわち、液晶テレビ１００は、第１〜第４の映像信号に対応する映像を、互いに接する状態で、第１の表示エリア１０４ａ〜第４の表示エリア１０４ｄを含む表示パネル１０４の中央に表示させる。
【００２２】
一方、図１（Ｂ）を参照して、第１の映像端子１０１ａに１つの映像（小さな世界地図）を表示するための第１の映像信号が入力された場合には、液晶テレビ１００は、第１の表示エリア１０４ａの中央に当該１つの映像を表示する。第２の映像端子１０１ｂに１つの映像（鳥の映像）を表示するための第２の映像信号が入力された場合には、液晶テレビ１００は、第２の表示エリア１０４ｂの中央に当該１つの映像を表示する。第３の映像端子１０１ｃに１つの映像（町の映像）を表示するための第３の映像信号が入力された場合には、液晶テレビ１００は、第３の表示エリア１０４ｃの中央に当該１つの映像を表示する。第４の映像端子１０１ｄに１つの映像（花の映像）を表示するための第４の映像信号が入力された場合には、液晶テレビ１００は、第４の表示エリア１０４ｄの中央に当該１つの映像を表示する。
【００２３】
本実施の形態に係る液晶テレビ１００は、第１の映像端子１０１ａ〜第４の映像端子１０１ｄのそれぞれに入力される第１の映像信号〜第４の映像信号に対応する映像の画素数に基づいて、図１（Ａ）に係る表示態様と図１（Ｂ）に係る表示態様とを切り替える。より詳細には、液晶テレビ１００は、第１の映像信号〜第４の映像信号に対応する映像の縦の画素数が全て同じであって、第１の映像信号〜第４の映像信号に対応する映像の横の画素数が全て同じ場合に、図１（Ａ）に係る表示態様で映像を表示する。一方、液晶テレビ１００は、第１の映像信号〜第４の映像信号に対応する映像の縦の画素数のいずれかが異なる場合、あるいは、第１の映像信号〜第４の映像信号に対応する映像の横の画素数のいずれかが異なる場合に、図１（Ｂ）に係る表示態様で映像を表示する。
【００２４】
図２は、図１に示す表示態様の切替を行う場合と当該切替を行わない場合との違いを示すイメージ図である。
【００２５】
まず、図２（Ａ）と図２（Ｂ）とを参照して、１つの映像として表示されるべき第１〜第４の映像信号が入力された場合について説明する。この場合には、第１の映像信号〜第４の映像信号に対応する映像の縦の画素数が全て同じである可能性が高く、第１の映像信号〜第４の映像信号に対応する映像の横の画素数が全て同じである可能性が高い。
【００２６】
図２（Ａ）に示すように、本実施の形態に係る液晶テレビ１００は、第１の映像信号〜第４の映像信号に対応する映像の縦の画素数が全て同じであって、第１の映像信号〜第４の映像信号に対応する映像の横の画素数が全て同じである場合、液晶テレビ１００は第１〜第４の映像を全て液晶テレビ１００の中央に寄せて表示させる。すなわち、第１〜第４の映像が互いに接する状態で表示される。これによって、ユーザは、１つの大きな画像を閲覧することができる。
【００２７】
一方、図２（Ｂ）に示すように、液晶テレビ１００が、１つの映像として表示されるべき第１〜第４の映像信号のそれぞれに対応する第１〜第４の映像を第１〜第４の表示エリアの中央に表示すると、１つの映像として表示されるべき第１〜第４の映像の間に隙間が生じてしまう。
【００２８】
図２（Ｃ）に示すように、本実施の形態に係る液晶テレビ１００は、第１の映像信号〜第４の映像信号に対応する映像の縦の画素数のいずれかが異なる場合、あるいは、第１の映像信号〜第４の映像信号に対応する映像の横の画素数のいずれかが異なる場合、液晶テレビ１００は第１〜第４の映像のそれぞれを第１〜第４の表示エリアの中央に表示させる。これによって、ユーザは、複数の映像を同時に閲覧することができる。
【００２９】
一方、図２（Ｄ）に示すように、液晶テレビ１００が、別々に表示されるべき第１〜第４の映像を全て液晶テレビ１００の中央に寄せて表示させると、第１〜第４の映像の境界が把握し難くなってしまう。
【００３０】
本実施の形態に係る液晶テレビ１００は、図２（Ｂ）および図（Ｄ）に示すような問題点を解消したものであって、図２（Ａ）および図２（Ｃ）に示すように、入力される映像信号に基づいて好ましい表示態様にて映像を表示することができるものである。
【００３１】
さらに、本実施の形態に係る液晶テレビ１００は、ＤｏｔＢｙＤｏｔモード（第１のモード）とＦｕｌｌモード（第２のモード）の設定を受け付ける。ＤｏｔＢｙＤｏｔモードにおいては、液晶テレビ１００は、第１の映像端子１０１ａ〜第４の映像端子１０１ｄのそれぞれに入力された第１の映像信号〜第４の映像信号に基づいて、入力された画素数（解像度）で第１の映像〜第４の映像を表示する。一方、Ｆｕｌｌモードにおいては、液晶テレビ１００は、第１の映像端子１０１ａ〜第４の映像端子１０１ｄに入力された第１の映像信号〜第４の映像信号のそれぞれに基づいて、第１の表示エリア〜第４の表示エリアの全面に拡大された第１の映像〜第４の映像を表示する。以下では、各モードにおける動作について簡単に説明する。
【００３２】
図３は、ＤｏｔＢｙＤｏｔモード中に液晶テレビ１００に同一の画素数の映像信号が入力された場合における表示パネル１０４を示すイメージ図である。表示パネル１０４は、第１の表示エリア１０４ａ〜第４の表示エリア１０４ｄを含む。なお、以下の図３〜図６においては、表示パネル１０４が第１の表示エリア１０４ａ〜第４の表示エリア１０４ｄを含む場合について説明する。ただし、表示システムのように、第１の表示エリア１０４ａ〜第４の表示エリア１０４ｄを、第１の表示パネル（第１の液晶テレビ）〜第４の表示パネル（第４の液晶テレビ）に置き換えてもよい。そして、表示パネル１０４を、表示パネル群に置き換えてもよい。
【００３３】
図３に示すように、ＤｏｔＢｙＤｏｔモードにおいては、第１の映像信号〜第４の映像信号に対応する映像の縦の画素数が全て同じであって、第１の映像信号〜第４の映像信号に対応する映像の横の画素数が全て同じである場合、液晶テレビ１００は第１〜第４の映像を全て表示パネル１０４の中央に寄せて表示させる。すなわち、第１〜第４の映像が互いに接する状態で表示される。これによって、ユーザは、１つの大きな画像を閲覧することができる。なお、ＤｏｔＢｙＤｏｔモードにおいては、表示パネル１０４の外周には、映像が表示されないエリアが生じることがある。
【００３４】
図４は、Ｆｕｌｌモード中に液晶テレビ１００に同一の画素数の映像信号が入力された場合における表示パネル１０４を示すイメージ図である。図４に示すように、Ｆｕｌｌモードにおいては、液晶テレビ１００は第１〜第４の映像を全て表示パネル１０４の中央に寄せて表示させるとともに、第１〜第４の映像のそれぞれを第１の表示エリア１０４ａ〜第４の表示エリア１０４ｄの全面に表示させる。すなわち、この場合にも、第１〜第４の映像が互いに接する状態で表示される。これによって、ユーザは、１つの大きな画像を閲覧することができる。
【００３５】
図５は、ＤｏｔＢｙＤｏｔモード中に液晶テレビ１００に異なる画素数の映像信号が入力された場合における表示パネル１０４を示すイメージ図である。図５に示すように、ＤｏｔＢｙＤｏｔモードにおいては、第１の映像信号〜第４の映像信号に対応する映像の縦の画素数のいずれかが異なるか、第１の映像信号〜第４の映像信号に対応する映像の横の画素数のいずれかが異なる場合、液晶テレビ１００は第１〜第４の映像のそれぞれを第１の表示エリア１０４ａ〜第４の表示エリア１０４ｄの中央に表示させる。すなわち、第１の映像から第４の映像の間には、隙間が生じることがある。
【００３６】
より詳細には、本実施の形態に係る液晶テレビ１００は、第１の映像信号と第３の映像信号に対応する映像の「縦」の画素数が同じ場合、第１の表示エリア１０４ａの上下中央右端に第１の映像を表示し、第３の表示エリア１０４ｃの上下中央左端に第３の映像を表示する。液晶テレビ１００は、第１の表示エリア１０４ａと第３の表示エリア１０４ｃとを含む上エリアの中央に、第１の映像と第３の映像とを接合させた映像を表示させる。
【００３７】
同様に、第２の映像信号と第４の映像信号に対応する映像の「縦」の画素数が同じ場合、第２の表示エリア１０４ｂの上下中央右端に第２の映像を表示し、第４の表示エリア１０４ｄの上下中央左端に第４の映像を表示する。液晶テレビ１００は、第２の表示エリア１０４ｂと第４の表示エリア１０４ｄとを含む下エリアの中央に、第２の映像と第４の映像とを接合させた映像を表示させる。
【００３８】
また、本実施の形態に係る液晶テレビ１００は、第１の映像信号と第２の映像信号に対応する映像の「横」の画素数が同じ場合、第１の表示エリア１０４ａの左右中央下端に第１の映像を表示し、第２の表示エリア１０４ｂの左右中央上端に第２の映像を表示する。液晶テレビ１００は、第１の表示エリア１０４ａと第２の表示エリア１０４ｂとを含む左エリアの中央に、第１の映像と第２の映像とを接合させた映像を表示させる。
【００３９】
同様に、第３の映像信号と第４の映像信号に対応する映像の「横」の画素数が同じ場合、第３の表示エリア１０４ｃの左右中央下端に第３の映像を表示し、第４の表示エリア１０４ｄの左右中央上端に第４の映像を表示する。液晶テレビ１００は、第３の表示エリア１０４ｃと第４の表示エリア１０４ｄとを含む右エリアの中央に、第３の映像と第４の映像とを接合させた映像を表示させる。
【００４０】
図６は、Ｆｕｌｌモード中に液晶テレビ１００に異なる画素数の映像信号が入力された場合における表示パネル１０４を示すイメージ図である。図６に示すように、Ｆｕｌｌモードにおいては、第１〜第４の映像のそれぞれを第１の表示エリア１０４ａ〜第４の表示エリア１０４ｄの全面に表示させる。すなわち、この場合にも、第１〜第４の映像が互いに接する状態で表示される。これによって、ユーザは、１つの大きな画像を閲覧することができる。
【００４１】
以下、このような機能を実現するための構成について詳述する。
＜液晶テレビ１００のハードウェア構成＞
まずは、液晶テレビ１００の具体的構成の一態様について説明する。図７は、液晶テレビ１００の構成を表わすブロック図である。図７を参照して、液晶テレビ１００は、主たる構成要素として、コントローラ１０５と、表示パネル１０４と、第１の映像端子１０１ａ〜第４の映像端子１０１ｄと、スイッチ１１０とを含む。
【００４２】
表示パネル１０４は、第１の表示エリア１０４ａと、第２の表示エリア１０４ｂと、第３の表示エリア１０４ｃと、第４の表示エリア１０４ｄとを含む。第１の表示エリア１０４ａは、第１の映像端子１０１ａに入力される第１の映像信号に基づいて第１の映像を表示する。第２の表示エリア１０４ｂは、第２の映像端子１０１ｂに入力される第２の映像信号に基づいて第２の映像を表示する。第３の表示エリア１０４ｃは、第３の映像端子１０１ｃに入力される第３の映像信号に基づいて第３の映像を表示する。第４の表示エリア１０４ｄは、第４の映像端子１０１ｄに入力される第４の映像信号に基づいて第４の映像を表示する。
【００４３】
コントローラ１０５は、第１の映像入力処理部１０２ａ〜第４の映像入力処理部１０２ｄと、制御部１０７と、記憶部１０８と、第１の映像出力処理部１０３ａ〜第４の映像出力処理部１０３ｄとを含む。
【００４４】
第１の映像入力処理部１０２ａ〜第４の映像入力処理部１０２ｄのそれぞれは、第１の映像端子１０１ａ〜第４の映像端子１０１ｄそれぞれからの第１の映像信号〜第４の映像信号を受け付けて、それらを映像データとして制御部１０７に入力する。
【００４５】
制御部１０７は、ＣＰＵ（Central Processing Unit）などによって実現される。制御部１０７は、記憶部１０８のプログラムを実行することによって、液晶テレビ１００の各部を制御する。ここでいうプログラムとは、たとえば、ＣＰＵにより直接実行可能なプログラムだけでなく、ソースプログラム形式のプログラム、圧縮処理されたプログラム、暗号化されたプログラム等を含む。
【００４６】
制御部１０７は、第１の映像入力処理部１０２ａ〜第４の映像入力処理部１０２ｄからの映像データを加工したり、加工した映像データを第１の映像出力処理部１０３ａ〜第４の映像出力処理部１０３ｄに出力したりする。制御部１０７は、スイッチ１１０を介して、ユーザからモードを切り替えるための命令を受け付ける。
【００４７】
記憶部１０８は、ＳＲＡＭ（Static  Random  Access  Memory）、ＮＶ−ＲＡＭ、ハードディスク、ＲＯＭ（Read  Only  Memory）、マスクＲＯＭ、ＥＰＲＯＭ（Erasable  Programmable  Read  Only  Memory）、ＥＥＰＲＯＭ（Electronically  Erasable  Programmable  Read-Only  Memory）、フラッシュＲＯＭなどによって実現される。記憶部１０８は、制御部１０７によって実行されるプログラムや、制御部１０７によるプログラムの実行により生成されたデータ（モードをするための情報）などを記憶する。
【００４８】
より詳細には、記憶部１０８は、映像入力解像度（入力された映像信号に対応する映像の詳細度）として、第１の映像端子１０１ａに入力される第１の映像信号に対応する横の画素数Ｒｅｓｏ＿ａ＿Ｈおよび縦の画素数Ｒｅｓｏ＿ａ＿Ｖ、第２の映像端子１０１ｂに入力される第２の映像信号に対応する横の画素数Ｒｅｓｏ＿ｂ＿Ｈおよび縦の画素数Ｒｅｓｏ＿ｂ＿Ｖ、第３の映像端子１０１ｃに入力される第３の映像信号に対応する縦の画素数Ｒｅｓｏ＿ｃ＿Ｈおよび横の画素数Ｒｅｓｏ＿ｃ＿Ｖ、第４の映像端子１０１ｄに入力される第４の映像信号に対応する縦の画素数Ｒｅｓｏ＿ｄ＿Ｈおよび横の画素数Ｒｅｓｏ＿ｄ＿Ｖを記憶する。
【００４９】
記憶部１０８は、開始座標データとして、第１の映像を表示する領域の左上のＸ座標Ｓｔａｒｔ＿ａ＿ＨとＹ座標Ｓｔａｒｔ＿ａ＿Ｖ、第２の映像を表示する領域の左上のＸ座標Ｓｔａｒｔ＿ｂ＿ＨとＹ座標Ｓｔａｒｔ＿ｂ＿Ｖ、第３の映像を表示する領域の左上のＸ座標Ｓｔａｒｔ＿ｃ＿ＨとＹ座標Ｓｔａｒｔ＿ｃ＿Ｖ、第４の映像を表示する領域の左上のＸ座標Ｓｔａｒｔ＿ｄ＿ＨとＹ座標Ｓｔａｒｔ＿ｄ＿Ｖを記憶する。
【００５０】
記憶部１０８は、拡大率として、第１の映像の横方向の拡大率Ｒａｔｅ＿ａ＿Ｈと縦方向の拡大率Ｒａｔｅ＿ａ＿Ｖ、第２の映像の横方向の拡大率Ｒａｔｅ＿ｂ＿Ｈと縦方向の拡大率Ｒａｔｅ＿ｂ＿Ｖ、第３の映像の横方向の拡大率Ｒａｔｅ＿ｃ＿Ｈと縦方向の拡大率Ｒａｔｅ＿ｃ＿Ｖ、第４の映像の横方向の拡大率Ｒａｔｅ＿ｄ＿Ｈと縦方向の拡大率Ｒａｔｅ＿ｄ＿Ｖを記憶する。
【００５１】
記憶部１０８は、ＦｕｌｌモードであるかＤｏｔＢｙＤｏｔモードであるかを示すフラグや、Ｒａｔｅ＿Ｈ、Ｒａｔｅ＿Ｖ、Ｒａｓｏ＿Ｈ、Ｒａｓｏ＿Ｖ、Ｆｌａｇ＿ａ、Ｆｌａｇ＿ｂ、Ｆｌａｇ＿ｃ、Ｆｌａｇ＿ｄを記憶する。
【００５２】
第１の映像出力処理部１０３ａ〜第４の映像出力処理部１０３ｄのそれぞれは、制御部１０７からの第１の映像信号〜第４の映像信号に基づいて、第１の表示エリア１０４ａ〜第４の表示エリア１０４ｄに第１の映像から第４の映像を表示させる。なお、第１の映像出力処理部１０３ａ〜第４の映像出力処理部１０３ｄの各々が、後述する処理部１２５ａや位置設定部１２７ａや拡大部１２９ａなどを有してもよい。より詳細には、本実施の形態においては、それらの機能を制御部１０７が有しているものとする。
【００５３】
＜表示システム１のハードウェア構成＞
上述したように、本発明は、複数の表示パネルを含む表示システムにも適用できる。以下では、表示システム１の具体的構成の一態様について説明する。図８は、表示システム１の構成を表わすブロック図である。
【００５４】
図８を参照して、表示システム１は、主たる構成要素として、システムコントローラ１１５と、表示パネル群１１４と、第１の映像端子１１１ａ〜第４の映像端子１１１ｄと、第１の映像入力処理部１１２ａ〜第４の映像入力処理部１１２ｄと、第１の映像出力処理部１１３ａ〜第４の映像出力処理部１１３ｄとを含む。
【００５５】
表示パネル群１１４は、第１の表示パネル１１４ａと、第２の表示パネル１１４ｂと、第３の表示パネル１１４ｃと、第４の表示パネル１１４ｄとを含む。第１の表示パネル１１４ａは、第１の映像端子１１１ａに入力される第１の映像信号に基づいて第１の映像を表示する。第２の表示パネル１１４ｂは、第２の映像端子１１１ｂに入力される第２の映像信号に基づいて第２の映像を表示する。第３の表示パネル１１４ｃは、第３の映像端子１１１ｃに入力される第３の映像信号に基づいて第３の映像を表示する。第４の表示パネル１１４ｄは、第４の映像端子１１１ｄに入力される第４の映像信号に基づいて第４の映像を表示する。
【００５６】
第１の映像入力処理部１１２ａ〜第４の映像入力処理部１１２ｄのそれぞれは、第１の映像端子１１１ａ〜第４の映像端子１１１ｄそれぞれからの第１の映像信号〜第４の映像信号を受け付けて、当該映像信号をシステムコントローラ１１５に入力する。
【００５７】
システムコントローラ１１５は、通信部１１６と、制御部１１７と、記憶部１１８とを含む。
【００５８】
通信部１１６は、第１の映像入力処理部１１２ａ〜第４の映像入力処理部１１２ｄからの映像信号を制御部１１７に入力する。通信部１１６は、制御部１１７からの映像信号（映像入力解像度、開始座標データ、拡大率を含む。）を第１の映像出力処理部１１３ａ〜第４の映像出力処理部１１３ｄに入力する。
【００５９】
制御部１１７は、ＣＰＵ（Central Processing Unit）などによって実現される。制御部１１７は、記憶部１１８のプログラムを実行することによって、表示システム１の各部を制御する。ここでいうプログラムとは、たとえば、ＣＰＵにより直接実行可能なプログラムだけでなく、ソースプログラム形式のプログラム、圧縮処理されたプログラム、暗号化されたプログラム等を含む。
【００６０】
制御部１１７は、映像データを加工したり、加工した映像データを第１の映像出力処理部１１３ａ〜第４の映像出力処理部１１３ｄに出力したりする。制御部１１７は、スイッチ１１０を介して、ユーザからモードを切り替えるための命令を受け付ける。
【００６１】
なお、記憶部１１８の構成は、図７に示される上述の記憶部１０８と同様であるため、ここでは説明を繰り返さない。
【００６２】
第１の映像出力処理部１１３ａ〜第４の映像出力処理部１１３ｄのそれぞれは、制御部１１７からの第１の映像信号〜第４の映像信号に基づいて、第１の表示パネル１１４ａ〜第４の表示パネル１１４ｄに第１の映像から第４の映像を表示させる。
【００６３】
より詳細には、第１の映像出力処理部１１３ａは、処理部１２５ａと、通信部１２６ａと、位置設定部１２７ａと、拡大部１２９ａと、記憶部１２８ａとを含む。通信部１２６ａは、システムコントローラ１１５の通信部１１６から第１の映像信号を受信する。通信部１２６ａは、映像入力解像度、開始座標データ、拡大率などを記憶部１２８ａに格納する。位置設定部１２７ａは、開始座標Ｓｔａｒｔ＿ａ＿ＨおよびＳｔａｒｔ＿ａ＿Ｖに基づいて、第１の表示パネル１１４ａのうちの第１の映像を表示すべき範囲を決定する。拡大部１２９ａは、拡大率Ｒａｔｅ＿ａ＿ＨおよびＲａｔｅ＿ａ＿Ｖに基づいて、第１の映像を拡大して第１の表示パネル１１４ａに表示させる。
【００６４】
第２の映像出力処理部１１３ｂ、第３の映像出力処理部１１３ｃ、第４の映像出力処理部１１３ｄの構成は、第１の映像出力処理部１１３ａの構成と同様であるため、ここでは説明を繰り返さない。
【００６５】
＜モード受付処理＞
以下では、液晶テレビ１００に関して、本実施の形態に係る各種の処理手順について説明する。なお、表示システム１における各種の処理手順は、液晶テレビ１００におけるそれと同様であるため、ここでは説明を繰り返さない。また、各種の処理手順は、コントローラ１０５（制御部１０７）あるいはシステムコントローラ１１５（制御部１１７）がプログラムを実行することによって実現してもよいし、各処理部１０２ａ〜１０２ｄ，１０３ａ〜１０３ｄ，１０７，１１２ａ〜１１２ｄ，１１３ａ〜１１３ｄ，１１７などがハードウェア回路によって実現してもよい。
【００６６】
まず、本実施の形態に係る液晶テレビ１００におけるモード受付処理の処理手順について説明する。図９は、本実施の形態に係る液晶テレビ１００におけるモード受付処理の処理手順を示すフローチャートである。
【００６７】
図９を参照して、制御部１０７は、スイッチ１１０を介して、ユーザから画面サイズの選択命令を受け付ける（ステップＳ００２）。制御部１０７は、Ｆｕｌｌモードの選択命令を受け付けたか否かを判断する（ステップＳ００４）。
【００６８】
Ｆｕｌｌモードの選択命令を受け付けた場合（ステップＳ００４においてＹＥＳである場合）、制御部１０７は、Ｆｕｌｌモードに設定する（ステップＳ００６）。すなわち、制御部１０７は、記憶部１０８のＦｕｌｌモードのフラグを立てる。制御部１０７は、モード受け付け処理を終了する。
【００６９】
一方、Ｆｕｌｌモードの選択命令を受け付けなかった場合（ステップＳ００４においてＮＯである場合）、すなわちＤｏｔＢｙＤｏｔモードの選択命令を受け付けた場合、制御部１０７は、ＤｏｔＢｙＤｏｔモードに設定する（ステップＳ００８）。すなわち、制御部１０７は、記憶部１０８のＤｏｔＢｙＤｏｔモードのフラグを立てる。制御部１０７は、モード受付処理を終了する。
【００７０】
＜表示メイン処理＞
次に、本実施の形態に係る液晶テレビ１００における表示メイン処理の処理手順について説明する。図１０Ａは、本実施の形態に係る液晶テレビ１００における表示メイン処理の処理手順を示す第１のフローチャートである。図１０Ｂは、本実施の形態に係る液晶テレビ１００における表示メイン処理の処理手順を示す第２のフローチャートである。図１０Ｃは、本実施の形態に係る液晶テレビ１００における表示メイン処理の処理手順を示す第３のフローチャートである。
【００７１】
図１０Ａを参照して、制御部１０７は、第１の映像端子１０１ａからの第１の映像信号に基づいて、当該第１の映像信号に対応する映像の横の画素数（あるいは解像度）を記憶部１０８のＲｅｓｏ＿ａ＿Ｈに代入し、縦の画素数（あるいは解像度）をＲｅｓｏ＿ａ＿Ｖに代入する（ステップＳ１０２）。制御部１０７は、第２の映像端子１０１ｂからの第２の映像信号に基づいて、当該第２の映像信号に対応する映像の横の画素数を記憶部１０８のＲｅｓｏ＿ｂ＿Ｈに代入し、縦の画素数をＲｅｓｏ＿ｂ＿Ｖに代入する（ステップＳ１０４）。制御部１０７は、第３の映像端子１０１ｃからの第３の映像信号に基づいて、当該第３の映像信号に対応する映像の横の画素数を記憶部１０８のＲｅｓｏ＿ｃ＿Ｈに代入し、縦の画素数をＲｅｓｏ＿ｃ＿Ｖに代入する（ステップＳ１０６）。制御部１０７は、第４の映像端子１０１ｄからの第４の映像信号に基づいて、当該第４の映像信号に対応する映像の横の画素数を記憶部１０８のＲｅｓｏ＿ｄ＿Ｈに代入し、縦の画素数をＲｅｓｏ＿ｄ＿Ｖに代入する（ステップＳ１０８）。
【００７２】
制御部１０７は、記憶部１０８のｆｌａｇ＿ａ、ｆｌａｇ＿ｂ、ｆｌａｇ＿ｃ、ｆｌａｇ＿ｄに「０」を代入する（ステップＳ１１０）。制御部１０７は、Ｒｅｓｏ＿ａ＿Ｈ＝Ｒｅｓｏ＿ｂ＿Ｈ＝Ｒｅｓｏ＿ｃ＿Ｈ＝Ｒｅｓｏ＿ｄ＿Ｈであるか否かを判断する（ステップＳ１１２）。さらに、制御部１０７は、Ｒｅｓｏ＿ａ＿Ｖ＝Ｒｅｓｏ＿ｂ＿Ｖ＝Ｒｅｓｏ＿ｃ＿Ｖ＝Ｒｅｓｏ＿ｄ＿Ｖであるか否かを判断する。すなわち、制御部１０７は、第１の映像〜第４の映像の縦および横の画素数が全て同じであるか否かを判断する。
【００７３】
Ｒｅｓｏ＿ａ＿Ｈ＝Ｒｅｓｏ＿ｂ＿Ｈ＝Ｒｅｓｏ＿ｃ＿Ｈ＝Ｒｅｓｏ＿ｄ＿Ｈであって、Ｒｅｓｏ＿ａ＿Ｖ＝Ｒｅｓｏ＿ｂ＿Ｖ＝Ｒｅｓｏ＿ｃ＿Ｖ＝Ｒｅｓｏ＿ｄ＿Ｖである場合（ステップＳ１１２においてＹＥＳである場合）、制御部１０７は全画面処理（ステップＳ２００）を実行する。全画面処理（ステップＳ２００）については後述する。制御部１０７は、記憶部１０８のｆｌａｇ＿ａ、ｆｌａｇ＿ｂ、ｆｌａｇ＿ｃ、ｆｌａｇ＿ｄに「１」を代入する（ステップＳ１１４）。制御部１０７は、ステップＳ１７８からの処理を実行する。
【００７４】
一方、Ｒｅｓｏ＿ａ＿Ｈ＝Ｒｅｓｏ＿ｂ＿Ｈ＝Ｒｅｓｏ＿ｃ＿Ｈ＝Ｒｅｓｏ＿ｄ＿Ｈでない場合、あるいはＲｅｓｏ＿ａ＿Ｖ＝Ｒｅｓｏ＿ｂ＿Ｖ＝Ｒｅｓｏ＿ｃ＿Ｖ＝Ｒｅｓｏ＿ｄ＿Ｖでない場合（ステップＳ１１２においてＮＯである場合）、制御部１０７は、Ｒｅｓｏ＿ａ＿Ｈ＝Ｒｅｓｏ＿ｂ＿Ｈであるか否かを判断する（ステップＳ１１８）。さらに、制御部１０７は、Ｒｅｓｏ＿ａ＿Ｖ＝Ｒｅｓｏ＿ｂ＿Ｖであるか否かを判断してもよい。Ｒｅｓｏ＿ａ＿Ｈ＝Ｒｅｓｏ＿ｂ＿Ｈである場合（ステップＳ１１８においてＹＥＳである場合）、制御部１０７は、左画面処理（ステップＳ３００）を実行する。左画面処理（ステップＳ３００）については後述する。制御部１０７は、記憶部１０８のｆｌａｇ＿ａ、ｆｌａｇ＿ｂに「１」を代入する（ステップＳ１２０）。
【００７５】
制御部１０７は、Ｒｅｓｏ＿ｃ＿Ｈ＝Ｒｅｓｏ＿ｄ＿Ｈであるか否かを判断する（ステップＳ１２２）。さらに、制御部１０７は、Ｒｅｓｏ＿ｃ＿Ｖ＝Ｒｅｓｏ＿ｄ＿Ｖであるか否かを判断してもよい。Ｒｅｓｏ＿ｃ＿Ｈ＝Ｒｅｓｏ＿ｄ＿Ｈである場合（ステップＳ１２２においてＹＥＳである場合）、制御部１０７は、右画面処理（ステップＳ４００）を実行する。左画面処理（ステップＳ４００）については後述する。制御部１０７は、記憶部１０８のｆｌａｇ＿ｃ、ｆｌａｇ＿ｄに「１」を代入する（ステップＳ１２４）。
【００７６】
制御部１０７は、記憶部１０８のｆｌａｇ＿ａおよびｆｌａｇ＿ｃが共に「０」であるか否かを判断する（ステップＳ１２６）。記憶部１０８のｆｌａｇ＿ａおよびｆｌａｇ＿ｃのいずれかが「０」でない場合（ステップＳ１２６においてＮＯである場合）、制御部１０７は、ステップＳ１３２からの処理を実行する。
【００７７】
一方、記憶部１０８のｆｌａｇ＿ａおよびｆｌａｇ＿ｃが共に「０」である場合（ステップＳ１２６においてＹＥＳである場合）、制御部１０７は、Ｒｅｓｏ＿ａ＿Ｖ＝Ｒｅｓｏ＿ｃ＿Ｖであるか否かを判断する（ステップＳ１２８）。さらに、制御部１０７は、Ｒｅｓｏ＿ａ＿Ｈ＝Ｒｅｓｏ＿ｃ＿Ｈであるか否かを判断してもよい。Ｒｅｓｏ＿ａ＿Ｖ＝Ｒｅｓｏ＿ｃ＿Ｖである場合（ステップＳ１２８においてＹＥＳである場合）、制御部１０７は、上画面処理（ステップＳ５００）を実行する。上画面処理（ステップＳ５００）については後述する。制御部１０７は、記憶部１０８のｆｌａｇ＿ａ、ｆｌａｇ＿ｃに「１」を代入する（ステップＳ１３０）。
【００７８】
制御部１０７は、記憶部１０８のｆｌａｇ＿ｂおよびｆｌａｇ＿ｄが共に「０」であるか否かを判断する（ステップＳ１３２）。記憶部１０８のｆｌａｇ＿ｂおよびｆｌａｇ＿ｄのいずれかが「０」でない場合（ステップＳ１３２においてＮＯである場合）、制御部１０７は、ステップＳ１３８からの処理を実行する。
【００７９】
一方、記憶部１０８のｆｌａｇ＿ｂおよびｆｌａｇ＿ｄが共に「０」である場合（ステップＳ１３２においてＹＥＳである場合）、制御部１０７は、Ｒｅｓｏ＿ｂ＿Ｖ＝Ｒｅｓｏ＿ｄ＿Ｖであるか否かを判断する（ステップＳ１３４）。さらに、制御部１０７は、Ｒｅｓｏ＿ｂ＿Ｈ＝Ｒｅｓｏ＿ｄ＿Ｈであるか否かを判断してもよい。Ｒｅｓｏ＿ｂ＿Ｖ＝Ｒｅｓｏ＿ｄ＿Ｖである場合（ステップＳ１３４においてＹＥＳである場合）、制御部１０７は、下画面処理（ステップＳ６００）を実行する。下画面処理（ステップＳ６００）については後述する。制御部１０７は、記憶部１０８のｆｌａｇ＿ｂ、ｆｌａｇ＿ｄに「１」を代入する（ステップＳ１３６）。
【００８０】
制御部１０７は、Ｆｌａｇ＿ａが「０」であるか否かを判断する（ステップＳ１３８）。Ｆｌａｇ＿ａが「０」でない場合（ステップＳ１３８においてＮＯである場合）、制御部１０７は、ステップＳ１４８からの処理を実行する。
【００８１】
一方、Ｆｌａｇ＿ａが「０」である場合（ステップＳ１３８においてＹＥＳである場合）、制御部１０７は、記憶部１０８のＲｅｓｏ＿ＨにＲｅｓｏ＿ａ＿Ｈの値を代入する（ステップＳ１４０）。さらに、制御部１０７は、記憶部１０８のＲｅｓｏ＿ＶにＲｅｓｏ＿ａ＿Ｖの値を代入する。制御部１０７は、部分画面処理（ステップＳ７００）を実行する。部分画面処理（ステップＳ７００）については後述する。
【００８２】
制御部１０７は、記憶部１０８のＳｔａｒｔ＿ａ＿ＨにＳｔａｒｔ＿Ｈの値を代入する（ステップＳ１４２）。さらに、制御部１０７は、記憶部１０８のＳｔａｒｔ＿ａ＿ＶにＳｔａｒｔ＿Ｖの値を代入する。
【００８３】
制御部１０７は、記憶部１０８のＲａｔｅ＿ａ＿ＨにＲａｔｅ＿Ｈの値を代入する（ステップＳ１４４）。さらに、制御部１０７は、記憶部１０８のＲａｔｅ＿ａ＿ＶにＲａｔｅ＿Ｖの値を代入する。制御部１０７は、記憶部１０８のｆｌａｇ＿ａに「１」を代入する（ステップＳ１４６）。
【００８４】
制御部１０７は、Ｆｌａｇ＿ｂが「０」であるか否かを判断する（ステップＳ１４８）。Ｆｌａｇ＿ｂが「０」でない場合（ステップＳ１４８においてＮＯである場合）、制御部１０７は、ステップＳ１５８からの処理を実行する。
【００８５】
一方、Ｆｌａｇ＿ｂが「０」である場合（ステップＳ１４８においてＹＥＳである場合）、制御部１０７は、記憶部１０８のＲｅｓｏ＿ＨにＲｅｓｏ＿ｂ＿Ｈの値を代入する（ステップＳ１５０）。さらに、制御部１０７は、記憶部１０８のＲｅｓｏ＿ＶにＲｅｓｏ＿ｂ＿Ｖの値を代入する。制御部１０７は、部分画面処理（ステップＳ７００）を実行する。部分画面処理（ステップＳ７００）については後述する。
【００８６】
制御部１０７は、記憶部１０８のＳｔａｒｔ＿ｂ＿ＨにＳｔａｒｔ＿Ｈの値を代入する（ステップＳ１５２）。さらに、制御部１０７は、記憶部１０８のＳｔａｒｔ＿ｂ＿ＶにＳｔａｒｔ＿Ｖの値を代入する。
【００８７】
制御部１０７は、記憶部１０８のＲａｔｅ＿ｂ＿ＨにＲａｔｅ＿Ｈの値を代入する（ステップＳ１５４）。さらに、制御部１０７は、記憶部１０８のＲａｔｅ＿ｂ＿ＶにＲａｔｅ＿Ｖの値を代入する。制御部１０７は、記憶部１０８のｆｌａｇ＿ｂに「１」を代入する（ステップＳ１５６）。
【００８８】
制御部１０７は、Ｆｌａｇ＿ｃが「０」であるか否かを判断する（ステップＳ１５８）。Ｆｌａｇ＿ｃが「０」でない場合（ステップＳ１５８においてＮＯである場合）、制御部１０７は、ステップＳ１６８からの処理を実行する。
【００８９】
一方、Ｆｌａｇ＿ｃが「０」である場合（ステップＳ１５８においてＹＥＳである場合）、制御部１０７は、記憶部１０８のＲｅｓｏ＿ＨにＲｅｓｏ＿ｃ＿Ｈの値を代入する（ステップＳ１６０）。さらに、制御部１０７は、記憶部１０８のＲｅｓｏ＿ＶにＲｅｓｏ＿ｃ＿Ｖの値を代入する。制御部１０７は、部分画面処理（ステップＳ７００）を実行する。部分画面処理（ステップＳ７００）については後述する。
【００９０】
制御部１０７は、記憶部１０８のＳｔａｒｔ＿ｃ＿ＨにＳｔａｒｔ＿Ｈの値を代入する（ステップＳ１６２）。さらに、制御部１０７は、記憶部１０８のＳｔａｒｔ＿ｃ＿ＶにＳｔａｒｔ＿Ｖの値を代入する。
【００９１】
制御部１０７は、記憶部１０８のＲａｔｅ＿ｃ＿ＨにＲａｔｅ＿Ｈの値を代入する（ステップＳ１６４）。さらに、制御部１０７は、記憶部１０８のＲａｔｅ＿ｃ＿ＶにＲａｔｅ＿Ｖの値を代入する。制御部１０７は、記憶部１０８のｆｌａｇ＿ｃに「１」を代入する（ステップＳ１６６）。
【００９２】
制御部１０７は、Ｆｌａｇ＿ｄが「０」であるか否かを判断する（ステップＳ１６８）。Ｆｌａｇ＿ｄが「０」でない場合（ステップＳ１６８においてＮＯである場合）、制御部１０７は、ステップＳ１７８からの処理を実行する。
【００９３】
一方、Ｆｌａｇ＿ｄが「０」である場合（ステップＳ１６８においてＹＥＳである場合）、制御部１０７は、記憶部１０８のＲｅｓｏ＿ＨにＲｅｓｏ＿ｄ＿Ｈの値を代入する（ステップＳ１７０）。さらに制御部１０７は、記憶部１０８のＲｅｓｏ＿ＶにＲｅｓｏ＿ｄ＿Ｖの値を代入する。制御部１０７は、部分画面処理（ステップＳ７００）を実行する。部分画面処理（ステップＳ７００）については後述する。
【００９４】
制御部１０７は、記憶部１０８のＳｔａｒｔ＿ｄ＿ＨにＳｔａｒｔ＿Ｈの値を代入する（ステップＳ１７２）。さらに、制御部１０７は、記憶部１０８のＳｔａｒｔ＿ｄ＿ＶにＳｔａｒｔ＿Ｖの値を代入する。
【００９５】
制御部１０７は、記憶部１０８のＲａｔｅ＿ｄ＿ＨにＲａｔｅ＿Ｈの値を代入する（ステップＳ１７４）。さらに、制御部１０７は、記憶部１０８のＲａｔｅ＿ｄ＿ＶにＲａｔｅ＿Ｖの値を代入する。制御部１０７は、記憶部１０８のｆｌａｇ＿ｄに「１」を代入する（ステップＳ１７６）。
【００９６】
制御部１０７は、決定した開始座標Ｓｔａｒｔ＿ａ＿Ｈ、Ｓｔａｒｔ＿ａ＿Ｖ、Ｓｔａｒｔ＿ｂ＿Ｈ、Ｓｔａｒｔ＿ｂ＿Ｖ、Ｓｔａｒｔ＿ｃ＿Ｈ、Ｓｔａｒｔ＿ｃ＿Ｖ、Ｓｔａｒｔ＿ｄ＿Ｈ、Ｓｔａｒｔ＿ｄ＿Ｖと、拡大率Ｒａｔｅ＿ａ＿Ｈ、Ｒａｔｅ＿ａ＿Ｖ、Ｒａｔｅ＿ｂ＿Ｈ、Ｒａｔｅ＿ｂ＿Ｖ、Ｒａｔｅ＿ｃ＿Ｈ、Ｒａｔｅ＿ｃ＿Ｖ、Ｒａｔｅ＿ｄ＿Ｈ、Ｒａｔｅ＿ｄ＿Ｖとを出力する（ステップＳ１７８）。制御部１０７は、開始座標データと拡大率データとを、第１の映像出力処理部１０３ａ〜第４の映像出力処理部１０３ｄに入力する（ステップＳ１８０）。第１の映像出力処理部１０３ａ〜第４の映像出力処理部１０３ｄは、開始座標データと拡大率データとに基づいて、第１の映像〜第４の映像を第１の表示エリア１０４ａ〜第４の表示エリア１０４ｄに表示させる（ステップＳ１８２）。
【００９７】
＜全画面処理＞
次に、本実施の形態に係る液晶テレビ１００における全画面処理の処理手順について説明する。図１１は、本実施の形態に係る液晶テレビ１００における全画面処理の処理手順を示すフローチャートである。
【００９８】
図１１を参照して、制御部１０７は、Ｆｕｌｌモードに設定されているか否かを判断する（ステップＳ２０２）。Ｆｕｌｌモードに設定されていない場合（ステップＳ２０２においてＮＯである場合）、制御部１０７は、ＤｏｔＢｙＤｏｔ処理（ステップＳ２１０）を実行する。一方、Ｆｕｌｌモードに設定されている場合（ステップＳ２０２においてＹＥＳである場合）、制御部１０７は、Ｆｕｌｌ処理（ステップＳ２５０）を実行する。
【００９９】
（ＤｏｔＢｙＤｏｔ処理）
次に、全画面処理におけるＤｏｔＢｙＤｏｔ処理の処理手順について説明する。図１２は、全画面処理におけるＤｏｔＢｙＤｏｔ処理の処理手順を示すフローチャートである。
【０１００】
図１２を参照して、制御部１０７は、Ｒａｔｅ＿Ｈに「１」を代入し、Ｒａｔｅ＿Ｖに「１」を代入する（ステップＳ２１２）。制御部１０７は、Ｒｅｓｏ＿ａ＿Ｈ＞２０４８であるか否かを判断する（ステップＳ２１４）。Ｒｅｓｏ＿ａ＿Ｈ＞２０４８でない場合（ステップＳ２１４においてＮＯである場合）、ステップＳ２１８からの処理を実行する。
【０１０１】
一方、Ｒｅｓｏ＿ａ＿Ｈ＞２０４８である場合（ステップＳ２１４においてＹＥＳである場合）、制御部１０７は、Ｒａｔｅ＿Ｈに２０４８／Ｒｅｓｏ＿ａ＿Ｈを代入する（ステップＳ２１６）。制御部１０７は、Ｒｅｓｏ＿ａ＿Ｖ＞１０８０であるか否かを判断する（ステップＳ２１８）。Ｒｅｓｏ＿ａ＿Ｖ＞１０８０でない場合（ステップＳ２１８においてＮＯである場合）、制御部１０７は、ステップＳ２２２からの処理を実行する。
【０１０２】
一方、Ｒｅｓｏ＿ａ＿Ｖ＞１０８０である場合（ステップＳ２１８においてＹＥＳである場合）、Ｒａｔｅ＿Ｖに１０８０／Ｒｅｓｏ＿ａ＿Ｖを代入する（ステップＳ２２０）。制御部１０７は、Ｒａｔｅ＿Ｈ＞Ｒａｔｅ＿Ｖであるか否かを判断する（ステップＳ２２２）。Ｒａｔｅ＿Ｈ＞Ｒａｔｅ＿Ｖである場合（Ｓ２２２においてＹＥＳである場合）、制御部１０７は、Ｒａｔｅ＿ＨにＲａｔｅ＿Ｖの値を代入する（ステップＳ２２４）。一方、Ｒａｔｅ＿Ｈ＞Ｒａｔｅ＿Ｖでない場合（ステップＳ２２２においてＮＯである場合）、制御部１０７は、Ｒａｔｅ＿ＶにＲａｔｅ＿Ｈの値を代入する（ステップＳ２２６）。
【０１０３】
次に、制御部１０７は、第１の表示エリア１０４ａの開始座標Ａを計算する。制御部１０７は、Ｓｔａｒｔ＿ａ＿Ｈに｛２０４８−（Ｒｅｓｏ＿ａ＿Ｈ×Ｒａｔｅ＿Ｈ）｝の値を代入する（ステップＳ２２８）。制御部１０７は、Ｓｔａｒｔ＿ａ＿Ｖに｛１０８０−（Ｒｅｓｏ＿ａ＿Ｖ×Ｒａｔｅ＿Ｖ）｝の値を代入する（ステップＳ２３０）。
【０１０４】
次に、制御部１０７は、第２の表示エリア１０４ｂの開始座標Ｂを計算する。制御部１０７は、Ｓｔａｒｔ＿ｂ＿Ｈに｛２０４８−（Ｒｅｓｏ＿ｂ＿Ｈ×Ｒａｔｅ＿Ｈ）｝の値を代入する（ステップＳ２３２）。制御部１０７は、Ｓｔａｒｔ＿ｂ＿Ｖに「０」を代入する（ステップＳ２３４）。
【０１０５】
次に、制御部１０７は、第３の表示エリア１０４ｃの開始座標Ｃを計算する。制御部１０７は、Ｓｔａｒｔ＿ｃ＿Ｈに「０」を代入する（ステップＳ２３６）。制御部１０７は、Ｓｔａｒｔ＿ｃ＿Ｖに｛１０８０−（Ｒｅｓｏ＿ｃ＿Ｖ×Ｒａｔｅ＿Ｖ）｝の値を代入する（ステップＳ２３８）。
【０１０６】
制御部１０７は、第４の表示エリア１０４ｄの開始座標Ｄを計算する。制御部１０７は、Ｓｔａｒｔ＿ｄ＿Ｈに「０」を代入する（ステップＳ２４０）。制御部１０７は、Ｓｔａｒｔ＿ｄ＿Ｖに「０」を代入する（ステップＳ２４２）。制御部１０７は、Ｒａｔｅ＿ａ＿Ｈ、Ｒａｔｅ＿ｂ＿Ｈ、Ｒａｔｅ＿ｃ＿Ｈ、Ｒａｔｅ＿ｄ＿ＨにＲａｔｅ＿Ｈの値を代入する（ステップＳ２４４）。そして、制御部１０７は、Ｒａｔｅ＿ａ＿Ｖ、Ｒａｔｅ＿ｂ＿Ｖ、Ｒａｔｅ＿ｃ＿Ｖ、Ｒａｔｅ＿ｄ＿ＶにＲａｔｅ＿Ｖの値を代入する（ステップＳ２４６）。制御部１０７は、全画面処理を終了する。
【０１０７】
（Ｆｕｌｌ処理）
次に、全画面処理におけるＦｕｌｌ処理の処理手順について説明する。図１３は、全画面処理におけるＦｕｌｌ処理の処理手順を示すフローチャートである。
【０１０８】
図１３を参照して、制御部１０７は、Ｒａｔｅ＿Ｈに｛２０４８／Ｒｅｓｏ＿ａ＿Ｈ｝の値を代入する（ステップＳ２５２）。制御部１０７は、Ｒａｔｅ＿Ｖに｛１０８０／Ｒｅｓｏ＿ａ＿Ｖ｝の値を代入する（ステップＳ２５４）。
【０１０９】
制御部１０７は、Ｓｔａｒｔ＿ａ＿Ｈ、Ｓｔａｒｔ＿ｂ＿Ｈ、Ｓｔａｒｔ＿ｃ＿Ｈ、Ｓｔａｒｔ＿ｄ＿Ｈに、「０」を代入する（ステップＳ２５６）。制御部１０７は、Ｓｔａｒｔ＿ａ＿Ｖ、Ｓｔａｒｔ＿ｂ＿Ｖ、Ｓｔａｒｔ＿ｃ＿Ｖ、Ｓｔａｒｔ＿ｄ＿Ｖに「０」を代入する（ステップＳ２５８）。制御部１０７は、Ｒａｔｅ＿ａ＿Ｖ、Ｒａｔｅ＿ｂ＿Ｖ、Ｒａｔｅ＿ｃ＿Ｖ、Ｒａｔｅ＿ｄ＿ＶにＲａｔｅ＿Ｖの値を代入する（ステップＳ２６０）。制御部１０７は、Ｒａｔｅ＿ａ＿Ｈ、Ｒａｔｅ＿ｂ＿Ｈ、Ｒａｔｅ＿ｃ＿Ｈ、Ｒａｔｅ＿ｄ＿ＨにＲａｔｅ＿Ｈの値を代入する（ステップＳ２６２）。制御部１０７は、全画面処理を終了する。
【０１１０】
＜左画面処理＞
次に、本実施の形態に係る液晶テレビ１００における左画面処理の処理手順について説明する。図１４は、本実施の形態に係る液晶テレビ１００における左画面処理の処理手順を示すフローチャートである。
【０１１１】
図１４を参照して、制御部１０７は、Ｆｕｌｌモードに設定されているか否かを判断する（ステップＳ３０２）。Ｆｕｌｌモードに設定されていない場合（ステップＳ３０２においてＮＯである場合）、制御部１０７は、ＤｏｔＢｙＤｏｔ処理（ステップＳ３１０）を実行する。一方、Ｆｕｌｌモードに設定されている場合（ステップＳ３０２においてＹＥＳである場合）、制御部１０７は、Ｆｕｌｌ処理（ステップＳ３５０）を実行する。
【０１１２】
（ＤｏｔＢｙＤｏｔ処理）
次に、左画面処理におけるＤｏｔＢｙＤｏｔ処理の処理手順について説明する。図１５は、左画面処理におけるＤｏｔＢｙＤｏｔ処理の処理手順を示すフローチャートである。
【０１１３】
図１５を参照して、制御部１０７は、Ｒａｔｅ＿Ｈに「１」を代入し、Ｒａｔｅ＿Ｖに「１」を代入する（ステップＳ３１２）。制御部１０７は、Ｒｅｓｏ＿ａ＿Ｈ＞２０４８であるか否かを判断する（ステップＳ３１４）。Ｒｅｓｏ＿ａ＿Ｈ＞２０４８でない場合（ステップＳ３１４においてＮＯである場合）、ステップＳ３１８からの処理を実行する。
【０１１４】
一方、Ｒｅｓｏ＿ａ＿Ｈ＞２０４８である場合（ステップＳ３１４においてＹＥＳである場合）、制御部１０７は、Ｒａｔｅ＿Ｈに２０４８／Ｒｅｓｏ＿ａ＿Ｈの値を代入する（ステップＳ３１６）。制御部１０７は、Ｒｅｓｏ＿ａ＿Ｖ＞１０８０であるか否かを判断する（ステップＳ３１８）。Ｒｅｓｏ＿ａ＿Ｖ＞１０８０でない場合（ステップＳ３１８においてＮＯである場合）、制御部１０７は、ステップＳ３２２からの処理を実行する。
【０１１５】
一方、Ｒｅｓｏ＿ａ＿Ｖ＞１０８０である場合（ステップＳ３１８においてＹＥＳである場合）、Ｒａｔｅ＿Ｖに１０８０／Ｒｅｓｏ＿ａ＿Ｖを代入する（ステップＳ３２０）。制御部１０７は、Ｒａｔｅ＿Ｈ＞Ｒａｔｅ＿Ｖであるか否かを判断する（ステップＳ３２２）。Ｒａｔｅ＿Ｈ＞Ｒａｔｅ＿Ｖである場合（Ｓ３２２においてＹＥＳである場合）、制御部１０７は、Ｒａｔｅ＿ＨにＲａｔｅ＿Ｖの値を代入する（ステップＳ３２４）。一方、Ｒａｔｅ＿Ｈ＞Ｒａｔｅ＿Ｖでない場合（ステップＳ３２２においてＮＯである場合）、制御部１０７は、Ｒａｔｅ＿ＶにＲａｔｅ＿Ｈの値を代入する（ステップＳ３２６）。
【０１１６】
次に、制御部１０７は、第１の表示エリア１０４ａの開始座標Ａを計算する。制御部１０７は、Ｓｔａｒｔ＿ａ＿Ｈに｛（２０４８−（Ｒｅｓｏ＿ａ＿Ｈ×Ｒａｔｅ＿Ｈ））／２｝の値を代入する（ステップＳ３２８）。制御部１０７は、Ｓｔａｒｔ＿ａ＿Ｖに｛１０８０−（Ｒｅｓｏ＿ａ＿Ｖ×Ｒａｔｅ＿Ｖ）｝の値を代入する（ステップＳ３３０）。
【０１１７】
次に、制御部１０７は、第２の表示エリア１０４ｂの開始座標Ｂを計算する。制御部１０７は、Ｓｔａｒｔ＿ｂ＿Ｈに｛（２０４８−（Ｒｅｓｏ＿ｂ＿Ｈ×Ｒａｔｅ＿Ｈ））／２｝の値を代入する（ステップＳ３３２）。制御部１０７は、Ｓｔａｒｔ＿ｂ＿Ｖに「０」を代入する（ステップＳ３３４）。制御部１０７は、左画面処理を終了する。
【０１１８】
（Ｆｕｌｌ処理）
次に、左画面処理におけるＦｕｌｌ処理の処理手順について説明する。図１６は、左画面処理におけるＦｕｌｌ処理の処理手順を示すフローチャートである。すなわち、制御部１０７は、第１の表示エリア１０４ａおよび第２の表示エリア１０４ｂの開始座標と拡大率とを計算する。
【０１１９】
図１６を参照して、制御部１０７は、Ｒａｔｅ＿ａ＿ＨおよびＲａｔｅ＿ｂ＿Ｈに｛２０４８／Ｒｅｓｏ＿ａ＿Ｈ｝の値を代入する（ステップＳ３５２）。制御部１０７は、Ｒａｔｅ＿ａ＿ＶおよびＲａｔｅ＿ｂ＿Ｖに｛１０８０／Ｒｅｓｏ＿ａ＿Ｖ｝の値を代入する（ステップＳ３５４）。
【０１２０】
制御部１０７は、Ｓｔａｒｔ＿ａ＿ＨおよびＳｔａｒｔ＿ｂ＿Ｈに、「０」を代入する（ステップＳ３５６）。制御部１０７は、Ｓｔａｒｔ＿ａ＿ＶおよびＳｔａｒｔ＿ｂ＿Ｖに「０」を代入する（ステップＳ３５８）。制御部１０７は、左画面処理を終了する。
【０１２１】
＜右画面処理＞
次に、本実施の形態に係る液晶テレビ１００における右画面処理の処理手順について説明する。図１７は、本実施の形態に係る液晶テレビ１００における右画面処理の処理手順を示すフローチャートである。
【０１２２】
図１７を参照して、制御部１０７は、Ｆｕｌｌモードに設定されているか否かを判断する（ステップＳ４０２）。Ｆｕｌｌモードに設定されていない場合（ステップＳ４０２においてＮＯである場合）、制御部１０７は、ＤｏｔＢｙＤｏｔ処理（ステップＳ４１０）を実行する。一方、Ｆｕｌｌモードに設定されている場合（ステップＳ４０２においてＹＥＳである場合）、制御部１０７は、Ｆｕｌｌ処理（ステップＳ４５０）を実行する。
【０１２３】
（ＤｏｔＢｙＤｏｔ処理）
次に、右画面処理におけるＤｏｔＢｙＤｏｔ処理の処理手順について説明する。図１８は、右画面処理におけるＤｏｔＢｙＤｏｔ処理の処理手順を示すフローチャートである。
【０１２４】
図１８を参照して、制御部１０７は、Ｒａｔｅ＿Ｈに「１」を代入し、Ｒａｔｅ＿Ｖに「１」を代入する（ステップＳ４１２）。制御部１０７は、Ｒｅｓｏ＿ｃ＿Ｈ＞２０４８であるか否かを判断する（ステップＳ４１４）。Ｒｅｓｏ＿ｃ＿Ｈ＞２０４８でない場合（ステップＳ４１４においてＮＯである場合）、ステップＳ４１８からの処理を実行する。
【０１２５】
一方、Ｒｅｓｏ＿ｃ＿Ｈ＞２０４８である場合（ステップＳ４１４においてＹＥＳである場合）、制御部１０７は、Ｒａｔｅ＿Ｈに２０４８／Ｒｅｓｏ＿ｃ＿Ｈの値を代入する（ステップＳ４１６）。制御部１０７は、Ｒｅｓｏ＿ｃ＿Ｖ＞１０８０であるか否かを判断する（ステップＳ４１８）。Ｒｅｓｏ＿ｃ＿Ｖ＞１０８０でない場合（ステップＳ４１８においてＮＯである場合）、制御部１０７は、ステップＳ４２２からの処理を実行する。
【０１２６】
一方、Ｒｅｓｏ＿ｃ＿Ｖ＞１０８０である場合（ステップＳ４１８においてＹＥＳである場合）、Ｒａｔｅ＿Ｖに１０８０／Ｒｅｓｏ＿ｃ＿Ｖを代入する（ステップＳ４２０）。制御部１０７は、Ｒａｔｅ＿Ｈ＞Ｒａｔｅ＿Ｖであるか否かを判断する（ステップＳ４２２）。Ｒａｔｅ＿Ｈ＞Ｒａｔｅ＿Ｖである場合（Ｓ４２２においてＹＥＳである場合）、制御部１０７は、Ｒａｔｅ＿ＨにＲａｔｅ＿Ｖの値を代入する（ステップＳ４２４）。一方、Ｒａｔｅ＿Ｈ＞Ｒａｔｅ＿Ｖでない場合（ステップＳ４２２においてＮＯである場合）、制御部１０７は、Ｒａｔｅ＿ＶにＲａｔｅ＿Ｈの値を代入する（ステップＳ４２６）。
【０１２７】
次に、制御部１０７は、第３の表示エリア１０４ｃの開始座標Ｃを計算する。制御部１０７は、Ｓｔａｒｔ＿ｃ＿Ｈに｛（２０４８−（Ｒｅｓｏ＿ｃ＿Ｈ×Ｒａｔｅ＿Ｈ））／２｝の値を代入する（ステップＳ４２８）。制御部１０７は、Ｓｔａｒｔ＿ｃ＿Ｖに｛１０８０−（Ｒｅｓｏ＿ｃ＿Ｖ×Ｒａｔｅ＿Ｖ）｝の値を代入する（ステップＳ４３０）。
【０１２８】
次に、制御部１０７は、第４の表示エリア１０４ｄの開始座標Ｄを計算する。制御部１０７は、Ｓｔａｒｔ＿ｄ＿Ｈに｛（２０４８−（Ｒｅｓｏ＿ｄ＿Ｈ×Ｒａｔｅ＿Ｈ））／２｝の値を代入する（ステップＳ４３２）。制御部１０７は、Ｓｔａｒｔ＿ｄ＿Ｖに「０」を代入する（ステップＳ４３４）。制御部１０７は、右画面処理を終了する。
【０１２９】
（Ｆｕｌｌ処理）
次に、右画面処理におけるＦｕｌｌ処理の処理手順について説明する。図１９は、右画面処理におけるＦｕｌｌ処理の処理手順を示すフローチャートである。すなわち、制御部１０７は、第３の表示エリア１０４ｃおよび第４の表示エリア１０４ｄの開始座標と拡大率とを計算する。
【０１３０】
図１９を参照して、制御部１０７は、Ｒａｔｅ＿ｃ＿ＨおよびＲａｔｅ＿ｄ＿Ｈに｛２０４８／Ｒｅｓｏ＿ｃ＿Ｈ｝の値を代入する（ステップＳ４５２）。制御部１０７は、Ｒａｔｅ＿ｃ＿ＶおよびＲａｔｅ＿ｄ＿Ｖに｛１０８０／Ｒｅｓｏ＿ｃ＿Ｖ｝の値を代入する（ステップＳ４５４）。
【０１３１】
制御部１０７は、Ｓｔａｒｔ＿ｃ＿ＨおよびＳｔａｒｔ＿ｄ＿Ｈに、「０」を代入する（ステップＳ４５６）。制御部１０７は、Ｓｔａｒｔ＿ｃ＿ＶおよびＳｔａｒｔ＿ｄ＿Ｖに「０」を代入する（ステップＳ４５８）。制御部１０７は、右画面処理を終了する。
【０１３２】
＜上画面処理＞
次に、本実施の形態に係る液晶テレビ１００における上画面処理の処理手順について説明する。図２０は、本実施の形態に係る液晶テレビ１００における上画面処理の処理手順を示すフローチャートである。
【０１３３】
図２０を参照して、制御部１０７は、Ｆｕｌｌモードに設定されているか否かを判断する（ステップＳ５０２）。Ｆｕｌｌモードに設定されていない場合（ステップＳ５０２においてＮＯである場合）、制御部１０７は、ＤｏｔＢｙＤｏｔ処理（ステップＳ５１０）を実行する。一方、Ｆｕｌｌモードに設定されている場合（ステップＳ５０２においてＹＥＳである場合）、制御部１０７は、Ｆｕｌｌ処理（ステップＳ５５０）を実行する。
【０１３４】
（ＤｏｔＢｙＤｏｔ処理）
次に、上画面処理におけるＤｏｔＢｙＤｏｔ処理の処理手順について説明する。図２１は、上画面処理におけるＤｏｔＢｙＤｏｔ処理の処理手順を示すフローチャートである。
【０１３５】
図２１を参照して、制御部１０７は、Ｒａｔｅ＿Ｈに「１」を代入し、Ｒａｔｅ＿Ｖに「１」を代入する（ステップＳ５１２）。制御部１０７は、Ｒｅｓｏ＿ａ＿Ｈ＞２０４８であるか否かを判断する（ステップＳ５１４）。Ｒｅｓｏ＿ａ＿Ｈ＞２０４８でない場合（ステップＳ５１４においてＮＯである場合）、ステップＳ５１８からの処理を実行する。
【０１３６】
一方、Ｒｅｓｏ＿ａ＿Ｈ＞２０４８である場合（ステップＳ５１４においてＹＥＳである場合）、制御部１０７は、Ｒａｔｅ＿Ｈに２０４８／Ｒｅｓｏ＿ａ＿Ｈの値を代入する（ステップＳ５１６）。制御部１０７は、Ｒｅｓｏ＿ａ＿Ｖ＞１０８０であるか否かを判断する（ステップＳ５１８）。Ｒｅｓｏ＿ａ＿Ｖ＞１０８０でない場合（ステップＳ５１８においてＮＯである場合）、制御部１０７は、ステップＳ５２２からの処理を実行する。
【０１３７】
一方、Ｒｅｓｏ＿ａ＿Ｖ＞１０８０である場合（ステップＳ５１８においてＹＥＳである場合）、Ｒａｔｅ＿Ｖに１０８０／Ｒｅｓｏ＿ａ＿Ｖを代入する（ステップＳ５２０）。制御部１０７は、Ｒａｔｅ＿Ｈ＞Ｒａｔｅ＿Ｖであるか否かを判断する（ステップＳ５２２）。Ｒａｔｅ＿Ｈ＞Ｒａｔｅ＿Ｖである場合（Ｓ５２２においてＹＥＳである場合）、制御部１０７は、Ｒａｔｅ＿ＨにＲａｔｅ＿Ｖの値を代入する（ステップＳ５２４）。一方、Ｒａｔｅ＿Ｈ＞Ｒａｔｅ＿Ｖでない場合（ステップＳ５２２においてＮＯである場合）、制御部１０７は、Ｒａｔｅ＿ＶにＲａｔｅ＿Ｈの値を代入する（ステップＳ５２６）。
【０１３８】
次に、制御部１０７は、第１の表示エリア１０４ａの開始座標Ａを計算する。制御部１０７は、Ｓｔａｒｔ＿ａ＿Ｈに｛２０４８−（Ｒｅｓｏ＿ａ＿Ｈ×Ｒａｔｅ＿Ｈ）｝の値を代入する（ステップＳ５２８）。制御部１０７は、Ｓｔａｒｔ＿ａ＿Ｖに｛（１０８０−（Ｒｅｓｏ＿ａ＿Ｖ×Ｒａｔｅ＿Ｖ））／２｝の値を代入する（ステップＳ５３０）。
【０１３９】
次に、制御部１０７は、第３の表示エリア１０４ｃの開始座標Ｃを計算する。制御部１０７は、Ｓｔａｒｔ＿ｃ＿Ｈに「０」を代入する（ステップＳ５３２）。制御部１０７は、Ｓｔａｒｔ＿ｃ＿Ｖに｛（１０８０−（Ｒｅｓｏ＿ｃ＿Ｖ×Ｒａｔｅ＿Ｖ））／２｝を代入する（ステップＳ５３４）。制御部１０７は、上画面処理を終了する。
【０１４０】
（Ｆｕｌｌ処理）
次に、上画面処理におけるＦｕｌｌ処理の処理手順について説明する。図２２は、上画面処理におけるＦｕｌｌ処理の処理手順を示すフローチャートである。すなわち、制御部１０７は、第１の表示エリア１０４ａおよび第３の表示エリア１０４ｃの開始座標と拡大率とを計算する。
【０１４１】
図２２を参照して、制御部１０７は、Ｒａｔｅ＿ａ＿ＨおよびＲａｔｅ＿ｃ＿Ｈに｛２０４８／Ｒｅｓｏ＿ａ＿Ｈ｝の値を代入する（ステップＳ５５２）。制御部１０７は、Ｒａｔｅ＿ａ＿ＶおよびＲａｔｅ＿ｃ＿Ｖに｛１０８０／Ｒｅｓｏ＿ａ＿Ｖ｝の値を代入する（ステップＳ５５４）。
【０１４２】
制御部１０７は、Ｓｔａｒｔ＿ａ＿ＨおよびＳｔａｒｔ＿ｃ＿Ｈに、「０」を代入する（ステップＳ５５６）。制御部１０７は、Ｓｔａｒｔ＿ａ＿ＶおよびＳｔａｒｔ＿ｃ＿Ｖに「０」を代入する（ステップＳ５５８）。制御部１０７は、上画面処理を終了する。
【０１４３】
＜下画面処理＞
次に、本実施の形態に係る液晶テレビ１００における下画面処理の処理手順について説明する。図２３は、本実施の形態に係る液晶テレビ１００における下画面処理の処理手順を示すフローチャートである。
【０１４４】
図２３を参照して、制御部１０７は、Ｆｕｌｌモードに設定されているか否かを判断する（ステップＳ６０２）。Ｆｕｌｌモードに設定されていない場合（ステップＳ６０２においてＮＯである場合）、制御部１０７は、ＤｏｔＢｙＤｏｔ処理（ステップＳ６１０）を実行する。一方、Ｆｕｌｌモードに設定されている場合（ステップＳ６０２においてＹＥＳである場合）、制御部１０７は、Ｆｕｌｌ処理（ステップＳ６５０）を実行する。
【０１４５】
（ＤｏｔＢｙＤｏｔ処理）
次に、下画面処理におけるＤｏｔＢｙＤｏｔ処理の処理手順について説明する。図２４は、下画面処理におけるＤｏｔＢｙＤｏｔ処理の処理手順を示すフローチャートである。
【０１４６】
図２４を参照して、制御部１０７は、Ｒａｔｅ＿Ｈに「１」を代入し、Ｒａｔｅ＿Ｖに「１」を代入する（ステップＳ６１２）。制御部１０７は、Ｒｅｓｏ＿ｂ＿Ｈ＞２０４８であるか否かを判断する（ステップＳ６１４）。Ｒｅｓｏ＿ｂ＿Ｈ＞２０４８でない場合（ステップＳ６１４においてＮＯである場合）、ステップＳ６１８からの処理を実行する。
【０１４７】
一方、Ｒｅｓｏ＿ｂ＿Ｈ＞２０４８である場合（ステップＳ６１４においてＹＥＳである場合）、制御部１０７は、Ｒａｔｅ＿Ｈに２０４８／Ｒｅｓｏ＿ｂ＿Ｈの値を代入する（ステップＳ６１６）。制御部１０７は、Ｒｅｓｏ＿ｂ＿Ｖ＞１０８０であるか否かを判断する（ステップＳ６１８）。Ｒｅｓｏ＿ｂ＿Ｖ＞１０８０でない場合（ステップＳ６１８においてＮＯである場合）、制御部１０７は、ステップＳ６２２からの処理を実行する。
【０１４８】
一方、Ｒｅｓｏ＿ｂ＿Ｖ＞１０８０である場合（ステップＳ６１８においてＹＥＳである場合）、Ｒａｔｅ＿Ｖに１０８０／Ｒｅｓｏ＿ｂ＿Ｖを代入する（ステップＳ６２０）。制御部１０７は、Ｒａｔｅ＿Ｈ＞Ｒａｔｅ＿Ｖであるか否かを判断する（ステップＳ６２２）。Ｒａｔｅ＿Ｈ＞Ｒａｔｅ＿Ｖである場合（Ｓ６２２においてＹＥＳである場合）、制御部１０７は、Ｒａｔｅ＿ＨにＲａｔｅ＿Ｖの値を代入する（ステップＳ６２４）。一方、Ｒａｔｅ＿Ｈ＞Ｒａｔｅ＿Ｖでない場合（ステップＳ６２２においてＮＯである場合）、制御部１０７は、Ｒａｔｅ＿ＶにＲａｔｅ＿Ｈの値を代入する（ステップＳ６２６）。
【０１４９】
次に、制御部１０７は、第２の表示エリア１０４ｂの開始座標Ｂを計算する。制御部１０７は、Ｓｔａｒｔ＿ｂ＿Ｈに｛２０４８−（Ｒｅｓｏ＿ｂ＿Ｈ×Ｒａｔｅ＿Ｈ）｝の値を代入する（ステップＳ６２８）。制御部１０７は、Ｓｔａｒｔ＿ｂ＿Ｖに｛（１０８０−（Ｒｅｓｏ＿ｂ＿Ｖ×Ｒａｔｅ＿Ｖ））／２｝の値を代入する（ステップＳ６３０）。
【０１５０】
次に、制御部１０７は、第４の表示エリア１０４ｄの開始座標Ｄを計算する。制御部１０７は、Ｓｔａｒｔ＿ｄ＿Ｈに「０」を代入する（ステップＳ６３２）。制御部１０７は、Ｓｔａｒｔ＿ｄ＿Ｖに｛（１０８０−（Ｒｅｓｏ＿ｄ＿Ｖ×Ｒａｔｅ＿Ｖ））／２｝を代入する（ステップＳ６３４）。制御部１０７は、下画面処理を終了する。
【０１５１】
（Ｆｕｌｌ処理）
次に、下画面処理におけるＦｕｌｌ処理の処理手順について説明する。図２５は、下画面処理におけるＦｕｌｌ処理の処理手順を示すフローチャートである。すなわち、制御部１０７は、第２の表示エリア１０４ｂおよび第４の表示エリア１０４ｄの開始座標と拡大率とを計算する。
【０１５２】
図２５を参照して、制御部１０７は、Ｒａｔｅ＿ｂ＿ＨおよびＲａｔｅ＿ｄ＿Ｈに｛２０４８／Ｒｅｓｏ＿ｂ＿Ｈ｝の値を代入する（ステップＳ６５２）。制御部１０７は、Ｒａｔｅ＿ｂ＿ＶおよびＲａｔｅ＿ｄ＿Ｖに｛１０８０／Ｒｅｓｏ＿ｂ＿Ｖ｝の値を代入する（ステップＳ６５４）。
【０１５３】
制御部１０７は、Ｓｔａｒｔ＿ｂ＿ＨおよびＳｔａｒｔ＿ｄ＿Ｈに、「０」を代入する（ステップＳ６５６）。制御部１０７は、Ｓｔａｒｔ＿ｂ＿ＶおよびＳｔａｒｔ＿ｄ＿Ｖに「０」を代入する（ステップＳ６５８）。制御部１０７は、下画面処理を終了する。
【０１５４】
＜部分画面処理＞
次に、本実施の形態に係る液晶テレビ１００における部分画面処理の処理手順について説明する。図２６は、本実施の形態に係る液晶テレビ１００における部分画面処理の処理手順を示すフローチャートである。
【０１５５】
図２６を参照して、制御部１０７は、Ｆｕｌｌモードに設定されているか否かを判断する（ステップＳ７０２）。Ｆｕｌｌモードに設定されていない場合（ステップＳ７０２においてＮＯである場合）、制御部１０７は、ＤｏｔＢｙＤｏｔ処理（ステップＳ７１０）を実行する。一方、Ｆｕｌｌモードに設定されている場合（ステップＳ７０２においてＹＥＳである場合）、制御部１０７は、Ｆｕｌｌ処理（ステップＳ７５０）を実行する。
【０１５６】
（ＤｏｔＢｙＤｏｔ処理）
次に、部分画面処理におけるＤｏｔＢｙＤｏｔ処理の処理手順について説明する。図２７は、部分画面処理におけるＤｏｔＢｙＤｏｔ処理の処理手順を示すフローチャートである。
【０１５７】
図２７を参照して、制御部１０７は、Ｒａｔｅ＿Ｈに「１」を代入し、Ｒａｔｅ＿Ｖに「１」を代入する（ステップＳ７１２）。制御部１０７は、Ｒｅｓｏ＿Ｈ＞２０４８であるか否かを判断する（ステップＳ７１４）。Ｒｅｓｏ＿Ｈ＞２０４８でない場合（ステップＳ７１４においてＮＯである場合）、ステップＳ７１８からの処理を実行する。
【０１５８】
一方、Ｒｅｓｏ＿Ｈ＞２０４８である場合（ステップＳ７１４においてＹＥＳである場合）、制御部１０７は、Ｒａｔｅ＿Ｈに２０４８／Ｒｅｓｏ＿Ｈの値を代入する（ステップＳ７１６）。制御部１０７は、Ｒｅｓｏ＿Ｖ＞１０８０であるか否かを判断する（ステップＳ７１８）。Ｒｅｓｏ＿Ｖ＞１０８０でない場合（ステップＳ７１８においてＮＯである場合）、制御部１０７は、ステップＳ７２２からの処理を実行する。
【０１５９】
一方、Ｒｅｓｏ＿Ｖ＞１０８０である場合（ステップＳ７１８においてＹＥＳである場合）、Ｒａｔｅ＿Ｖに１０８０／Ｒｅｓｏ＿Ｖを代入する（ステップＳ７２０）。制御部１０７は、Ｒａｔｅ＿Ｈ＞Ｒａｔｅ＿Ｖであるか否かを判断する（ステップＳ７２２）。Ｒａｔｅ＿Ｈ＞Ｒａｔｅ＿Ｖである場合（Ｓ７２２においてＹＥＳである場合）、制御部１０７は、Ｒａｔｅ＿ＨにＲａｔｅ＿Ｖの値を代入する（ステップＳ７２４）。一方、Ｒａｔｅ＿Ｈ＞Ｒａｔｅ＿Ｖでない場合（ステップＳ７２２においてＮＯである場合）、制御部１０７は、Ｒａｔｅ＿ＶにＲａｔｅ＿Ｈの値を代入する（ステップＳ７２６）。
【０１６０】
次に、制御部１０７は、対象となる表示エリアの開始座標を計算する。制御部１０７は、Ｓｔａｒｔ＿Ｈに｛（２０４８−（Ｒｅｓｏ＿Ｈ×Ｒａｔｅ＿Ｈ））／２｝の値を代入する（ステップＳ７２８）。制御部１０７は、Ｓｔａｒｔ＿Ｖに｛１０８０−（Ｒｅｓｏ＿Ｖ×Ｒａｔｅ＿Ｖ）／２｝の値を代入する（ステップＳ７３０）。
【０１６１】
（Ｆｕｌｌ処理）
次に、部分画面処理におけるＦｕｌｌ処理の処理手順について説明する。図２８は、部分画面処理におけるＦｕｌｌ処理の処理手順を示すフローチャートである。すなわち、制御部１０７は、対象となる表示エリアの開始座標と拡大率とを計算する。
【０１６２】
図２８を参照して、制御部１０７は、Ｒａｔｅ＿Ｈに｛２０４８／Ｒｅｓｏ＿Ｈ｝の値を代入する（ステップＳ７５２）。制御部１０７は、Ｒａｔｅ＿Ｖに｛１０８０／Ｒｅｓｏ＿Ｖ｝の値を代入する（ステップＳ７５４）。
【０１６３】
制御部１０７は、Ｓｔａｒｔ＿Ｈに「０」を代入する（ステップＳ７５６）。制御部１０７は、Ｓｔａｒｔ＿Ｖに「０」を代入する（ステップＳ７５８）。制御部１０７は、部分画面処理を終了する。
【０１６４】
＜その他の実施の形態＞
本発明は、システム（表示システム１）或いは装置（液晶テレビ１００）にプログラムを供給することによって達成される場合にも適用できることはいうまでもない。そして、本発明を達成するためのソフトウェアによって表されるプログラムを格納した記憶媒体を、システム或いは装置に供給し、そのシステム或いは装置のコンピュータ（又はＣＰＵやＭＰＵ）が記憶媒体に格納されたプログラムコードを読出し実行することによっても、本発明の効果を享受することが可能となる。
【０１６５】
この場合、記憶媒体から読出されたプログラムコード自体が前述した実施の形態の機能を実現することになり、そのプログラムコードを記憶した記憶媒体は本発明を構成することになる。
【０１６６】
プログラムコードを供給するための記憶媒体としては、例えば、ハードディスク、光ディスク、光磁気ディスク、ＣＤ−ＲＯＭ、ＣＤ−Ｒ、磁気テープ、不揮発性のメモリカード（ＩＣメモリカード）、ＲＯＭ（マスクＲＯＭ、フラッシュＥＥＰＲＯＭなど）などを用いることができる。
【０１６７】
また、コンピュータが読出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれることは言うまでもない。
【０１６８】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれることは言うまでもない。
【０１６９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１７０】
１  表示システム、１００  液晶テレビ、１０１ａ〜１０１ｄ  第１〜第４の映像端子、１０２ａ〜１０２ｄ  第１〜第４の映像入力処理部、１０３ａ〜１０３ｄ  第１〜第４の映像出力処理部、１０４  表示パネル、１０４ａ〜１０４ｄ  第１〜第４の表示エリア、１０５  コントローラ、１０７  制御部、１０８  記憶部、１１０  スイッチ、１１１ａ〜１１１ｄ  映像端子、１１２ａ〜１１２ｄ  映像入力処理部、１１３ａ〜１１３ｄ  映像出力処理部、１１４  表示パネル群、１１４ａ〜１１４ｄ  表示パネル、１１５  システムコントローラ、１１６  通信部、１１７  制御部、１１８  記憶部、１２５ａ  処理部、１２６ａ  通信部、１２７ａ  位置設定部、１２８ａ  記憶部、１２９ａ  拡大部。
【図１】
2011064857.tif 000003
【図２】
2011064857.tif 000004
【図３】
2011064857.tif 000005
【図４】
2011064857.tif 000006
【図５】
2011064857.tif 000007
【図６】
2011064857.tif 000008
【図７】
2011064857.tif 000009
【図８】
2011064857.tif 000010
【図９】
2011064857.tif 000011
【図１０Ａ】
2011064857.tif 000012
【図１０Ｂ】
2011064857.tif 000013
【図１０Ｃ】
2011064857.tif 000014
【図１１】
2011064857.tif 000015
【図１２】
2011064857.tif 000016
【図１３】
2011064857.tif 000017
【図１４】
2011064857.tif 000018
【図１５】
2011064857.tif 000019
【図１６】
2011064857.tif 000020
【図１７】
2011064857.tif 000021
【図１８】
2011064857.tif 000022
【図１９】
2011064857.tif 000023
【図２０】
2011064857.tif 000024
【図２１】
2011064857.tif 000025
【図２２】
2011064857.tif 000026
【図２３】
2011064857.tif 000027
【図２４】
2011064857.tif 000028
【図２５】
2011064857.tif 000029
【図２６】
2011064857.tif 000030
【図２７】
2011064857.tif 000031
【図２８】
2011064857.tif 000032